(57)【特許請求の範囲】
【請求項１】
外側管部材と、該外側管部材内に該外側管部材に対して間隙をもって配設された内側管部材と、該内側管部材内に該内側管部材に対して間隙をもって同軸に配設されたレーザ導光部材とを有し、該レーザ導光部材と前記内側管部材との間の間隙を通して流体を排出し、前記内側管部材と外側管部材との間の間隙を通して前記排出した流体を回収するようにした医療用レーザ装置において、前記内側管部材は前記外側管部材内において管軸方向でかつ任意の方向に傾動可能に球状支持部材によって支持されていることを特徴とする医療用レーザ装置。
【請求項２】
前記内側管部材を前記外側管部材内に支持している支持部材が管軸方向に移動可能であることを特徴とする請求項１に記載の医療用レーザ装置。
【請求項３】
前記内側管部材は前記外側管部材に対して挿脱可能であることを特徴とする請求項１又は２に記載の医療用レーザ装置。
【請求項４】
前記外側管部材内に挿着自在に装着される第２の内側管部材を有し、該第２の内側管部材が請求項１に記載の内側管部材と交換可能に前記外側管部材に挿脱可能であることを特徴とする請求項１に記載の医療用レーザ装置。
【発明の詳細な説明】
【０００１】
【発明の属する技術分野】
本発明は、医療用レーザ装置、より詳細には、生体組織の切開，蒸散，止血等の外科手術に用いて好適な医療用レーザ装置に関する。
【０００２】
【従来の技術】
医科及び歯科治療においては、レーザ光を患部に照射して該患部を切開，蒸散，止血する等の種々の治療を行っているが、その際、患部を冷却したり、洗浄したりする必要がある場合がある。そのため、患部（レーザ光治療箇所）にレーザ光を照射するとともに、冷却水をも放射するようにしたレーザ光治療装置が提案されている。
【０００３】
しかし、従来のレーザ治療装置において、冷却液を噴射することは提案されているが、噴射された冷却液の回収に関しては何ら提案されておらず、別に、バキューム装置を設け、該バキューム装置に連結されたバキュームホースにより、前述のごとくしてレーザ治療装置より噴射された冷却液を回収するようにしている。
【０００４】
【発明が解決しようとする課題】
上述のように、従来のレーザ治療装置は、冷却用の流体を噴射することはできるが、噴射した流体を回収する手段がなく、噴射した流体を回収するための手段或いは、治療箇所を洗浄する手段等を別に設けなければならず、そのため、レーザ照射及び冷却液噴射手段を有するレーザプローブ（レーザ治療装置）と、噴射した冷却液を回収するための冷却液回収用のバキュームプローブ等、複数のプローブを別体として有する。そのため、全体としての装置コストが高く、しかも、場合によっては、狭い治療箇所（例えば、歯科治療においては口腔内）に同時に２つのプローブを挿入しなければ、本来のレーザ治療作業が非常にしにくくなる等の問題があった。
【０００５】
本発明は、上述のごとき実情に鑑みてなされたもので、特に、単一のレーザプローブにより、レーザ光の照射、及び冷却液の噴射及び回収をできるようにし、更には、レーザプローブ本体の位置を変えることなくレーザ光の照射位置を変えることができるようにして、レーザプローブ本体を動かすことなく、より広い範囲にわたってレーザ治療ができ、更には、プローブ本体を変えることなく、つまり同一のプローブ本体を用い、該プローブ本体に挿脱される器具を変えることにより、レーザ光照射及び冷却液の噴射・回収ができるようにして、治療箇所の洗浄（洗浄液の噴射・回収）を行ったり、治療箇所にたまった血液や汚液更には汚物等を吸引・排出できるようにしたものである。
【０００６】
【課題を解決するための手段】
請求項１の発明は、外側管部材と、該外側管部材内に該外側管部材に対して間隙をもって配設された内側管部材と、該内側管部材内に該内側管部材に対して間隙をもって同軸に配設されたレーザ導光部材とを有し、該レーザ導光部材と前記内側管部材との間の間隙を通して流体を排出し、前記内側管部材と外側管部材との間の間隙を通して前記排出した流体を回収するようにし、更に、前記内側管部材は前記外側管部材内において管軸方向でかつ任意の方向に傾動可能に球状支持部材によって支持されていることを特徴としたものである。
【０００８】
請求項２の発明は、請求項１の発明において、前記内側管部材を前記外側管部材内に支持している支持部材が管軸方向に移動可能であることを特徴としたものである。
【０００９】
請求項３の発明は、請求項１又は２の発明において、前記内側管部材は前記外側管部材に対して挿脱可能であることを特徴としたものである。
【００１０】
請求項４の発明は、請求項１の発明において、前記外側管部材内に挿着自在に装着される第２の内側管部材を有し、該第２の内側管部材が請求項１に記載の内側管部材と交換可能に前記外側管部材に挿脱可能であることを特徴としたものである。
【００１１】
【発明の実施の形態】
図１は、本発明によるレーザ治療装置の一実施例を説明するための要部断面図で、図中、１０は本発明によるレーザ治療装置の本体部（レーザプローブ本体部）を構成する外側管部材、２０及び３０は該プローブ本体１０内に交換可能に挿脱自在に装着される器材で、２０はレーザプローブ、３０はバキューム管又は洗浄管で、レーザプローブ２０は、外側管部材１０内に該外側管部材１０に対して所定の間隙をもって挿脱自在に装着される内側管部材２１と、該内側管部材２１内に該内側管部材２１に対して所定の間隙をもって配設されたレーザ導光部材２２と、前記内側管部材２１を前記外側管部材１０内において軸方向の任意の方向に傾動自在に支持するための球状支持部材２３とを有し、図示しない端部において、レーザ導光部材２２はレーザ光源に、内側管部材２１は冷却流体源に接続され、内側管部材２１と外側管部材１０との間に形成された間隙は、吸引（バキューム）装置等に接続されている。
【００１２】
従って、レーザ治療時、図２に矢印にて示すように、冷却流体を、レーザ導光部材２２と内側管部材２１との間の間隙を通してレーザ治療位置に流してレーザ治療箇所を冷却し、該レーザ治療箇所を冷却した流体を、内側管部材２１と外側管部材１０との間の間隙を通して回収することができる。その際、レーザ導光部材２２と内側管部材２１が同軸に構成されているので、該内側管部材２１を流れる流体は、レーザ導光部材２２をも冷却し、該レーザ導光部材２２が該レーザ導光部材２２内を流れるレーザ光による加熱によって特性が劣化するのを防止することができる。
【００１３】
本発明は、上述のように、レーザ治療装置として使用する場合には、プローブ本体（外側管部材）１０内にレーザプローブ２０を装着して使用するものであるが、治療によって生じる汚液や汚物を吸引排出する吸引装置或いは治療箇所を洗浄する洗浄装置として使用する場合には、３０にて代表して示す、バキューム管或いは洗浄管３０を前記レーザプローブ２０に代ってプローブ本体（外側管部材）１０内に装着して使用する。なお、吸引装置として使用する場合には、バキューム管３０の図示しない端部にバキューム装置を接続して使用し、洗浄装置として使用する場合には、洗浄管３０の図示しない端部に流体供給源を接続し、該洗浄管３０と外側管部材１０との間に形成される間隙を図示しない吸引装置に接続して使用する。
【００１４】
図３は、本発明によるレーザ治療装置の使用例を説明するための要部概略構成図で、図３（Ａ）は、レーザプローブ本体１０とレーザプローブ２０とを平行にして使用している状態を示す図、図３（Ｂ）は、レーザプローブ２０をレーザプローブ本体１０に対して、先端部が下方になるようにして傾斜して使用している状態を示す図、図３（Ｃ）は、レーザプローブ２０をレーザプローブ本体１０に対して、先端部が上方になるように傾斜して使用している状態を示す図で、該レーザプローブ２０は、球状支持部材２３によって、上下左右にいずれの方向にも傾斜可能になっているので、実質的に、直線Ｄにて示す直径の円内の任意位置にレーザ光を照射することができる。また、この直径Ｄは、球状支持部材２３の軸方向の位置を変えることによって調整することができる。
【００１５】
【発明の効果】
以上の説明から明らかなように、本発明によると、単一のレーザ治療装置により、被治療箇所にレーザ光を照射し、かつ、被治療箇所に冷却流体を供給し、かつ、供給した冷却流体を回収することができる。
しかも、前記冷却流体によってレーザ導光部材を冷却することができ、これによって、レーザ導光部材の熱劣化を防止することができる。
更には、レーザプローブ本体（外側管部材）内に、レーザプローブに代って、吸引プローブや洗浄プローブを装着して使用することができ、装置コストを安くすることができる。
更には、レーザプローブ本体内に装着されたレーザプローブを軸方向の任意方向に傾動可能に支持するようにしたので、レーザ光の照射範囲を広くでき、更には、レーザプローブ本体内におけるレーザプローブの支持点を軸方向に調整することを可能とすることによって、レーザ光の照射範囲を調整することができる。
【図面の簡単な説明】
【図１】本発明によるレーザ治療装置の一実施例を説明するための要部分解断面図である。
【図２】本発明によるレーザ治療装置における冷却流体の流れ方を説明するための要部断面図である。
【図３】本発明によるレーザ治療装置の使用例を説明するための図である。
【符号の説明】
１０…レーザプローブ本体（外側管部材）、２０…レーザプローブ、２１…内側管部材、２２…レーザ導光部材、２３…球状支持部材、３０…吸引又は洗浄プローブ。
【図１】
0003560526.tif 000002
【図２】
0003560526.tif 000003
【図３】
0003560526.tif 000004